(57)【要約】【課題】テストチャート画像を用いたＬＵＴの調整後にも生じうる視覚に基づく色味問題を解決する画像形成装置を提供する。【解決手段】所定のテストチャート画像データを用いて出力されたテストチャート画像の測定画素色素値をその目標画素色素値と比較することによって画像データ変換関数を調整する第１較正演算部４１と、前記調整された画像データ変換関数によって変換された基本テスト画像データに対してその画素色素値を変更することで得られた複数種類のテスト画像データに基づいて所定のレイアウトで記録材料に形成された複数のテスト画像のうちで最適と見なされたテスト画像に対応するテスト画像データの画素色素値から前記画像データ変換関数に対する補正量を算出する第２較正演算部４２とを備えている画像形成装置。【選択図】図４
2005064801.tif 000002
【特許請求の範囲】
【請求項１】
画像データに基づいて画像を記録材料に形成して出力する画像形成装置であって、
所定のテストチャート画像データを用いて出力されたテストチャート画像の測定画素色素値をその目標画素色素値と比較することによって画像データ変換関数を調整する第１較正演算部と、
前記調整された画像データ変換関数によって変換された基本テスト画像データに対してその画素色素値を変更することで得られた複数種類のテスト画像データに基づいて所定のレイアウトで記録材料に形成された複数のテスト画像のうちで最適と見なされたテスト画像に対応するテスト画像データの画素色素値から前記画像データ変換関数に対する補正量を算出する第２較正演算部とを備えたことを特徴とする画像形成装置。
【請求項２】
画像データに基づいて画像を記録材料に形成して出力する画像形成装置であって、
所定のテストチャート画像データを用いて出力されたテストチャート画像の測定画素色素値をその目標画素色素値と比較することによって画像データ変換関数を調整する第１較正演算部と、
前記調整された画像データ変換関数のパラメータに対して複数の異なる値を割り当てることによって複数の補助画像データ変換関数を生成するパラメータ変更部と、
所定の画素色素値を有する基本テスト画像データに対して前記補助画像データ変換関数のそれぞれを適用することで得られた複数のテスト画像データに基づいて所定のレイアウトで記録材料に形成された複数のテスト画像のうちで最適と見なされたテスト画像に対応する補助画像データ変換関数のパラメータ値から前記画像データ変換関数に対する補正量を算出する第２較正演算部とを備えたことを特徴とする画像形成装置。
【請求項３】
前記基本テスト画像データはグレー系であることを特徴とする請求項１又は２に記載の画像形成装置。
【請求項４】
前記複数のテスト画像は短冊状で互いに隣接するように１枚の記録媒体上にレイアウトされて出力されることを特徴とする請求項１〜３のいずれか１項に記載の画像形成装置。
【発明の詳細な説明】
【技術分野】
【０００１】
本発明は、画像データに基づいて画像を記録材料に形成して出力する画像形成装置に関する。
【背景技術】
【０００２】
そのような画像形成装置の典型として、光学カメラによる撮影画像を形成している写真フィルムやデジタルカメラによる撮影画像を格納した半導体メモリなどの画像ソースから画像データを取得し、この画像データを用いてカラー写真プリントを出力する装置がある。例えば、ネガフィルムからカラー写真プリントを作成するには、画像入力デバイスとしてスキャナを用い、得られた画像データに基づく撮影画像は印画紙のような写真感光材料に画像出力デバイスとしてのデジタル露光ヘッドを用いて焼付露光され、現像処理等が施される。その際、画像入力デバイスや画像出力デバイスとしての露光ヘッドや現像処理槽は、固有の特性を有しているので、適切なカラー再現を実現するためには、画像入力デバイスを通じて入力された画像データによる目標色素値と画像出力デバイスによって出力された画像の色素値をできるだけ一致させるように、画像入力デバイスと画像出力デバイスの間に画像データの画素色素値を調整する画素値（階調）変換機能が介在することになる。
【０００３】
このような変換機能は、変換関数として機能するルックアップテーブル（以下単にＬＵＴと称する）を用いて行われるのが一般的であるが、このようなＬＵＴは次のようなステップで作成又は調整される；
まず、テストチャート用画像データを用いてテストチャートを出力する。 作成されたカラーチャートは、異なる画素色素値（ＲＢＧやＣＭＹなどの色素毎の濃度値）を有する複数のパッチから構成されており、それらの各パッチの色素毎の濃度を測定する。この測定濃度値と各パッチについて設定されている目標濃度値とを比較して、これらの差分を補償すべく各色素毎の変換関数つまりＬＵＴを作成する。この変換を入力画素データに施すことにより、適切なカラー再現が可能となる（例えば、特許文献１参照。）。
【０００４】
上述したようにテストチャートを用いてＬＵＴを作成・調整する技術は多く知られているが、例えば、各パッチがシアン、マゼンタおよびイエローの各色素値が略均等に設定されているグレー系の色相を有するとともにそれらのパッチは互いにグレーの濃度が異なっているテストチャートを用いて、各パッチの濃度測定つまりグレーの色相を構成するシアン、マゼンタ、イエローの各色素の濃度測定を行い、得られた濃度測定値を利用してＬＵＴを調整する技術もある（例えば、特許文献２参照。）。
【０００５】
また、撮影画像コマ毎に画像処理パラメータを変更して最適な画像出力を得るために、デジタル画像データで表される写真画像中の所定の領域を、テストプリント用領域として設定するとともに、テストプリントするに当たって変更すべき画像処理条件中の画像処理パラメータおよびその振り量を設定し、テストプリント用領域内のデジタル画像データに対して、設定された画像処理パラメータを設定された振り量に従って変更した複数の画像処理条件により画像処理を施し、複数のテストプリント画像データを作成し、得られた複数のテストプリント画像データを所定のレイアウトで所定の記録媒体上に記録してテストプリントを作成し、最適と見なされたテストプリント画像の画像処理パラメータを実際のプリント時に採用する技術もある（例えば、特許文献３参照。）。
【０００６】
【特許文献１】特開２００３−１１６０１７ 号公報（段落番号０００２−０００５、図７）
【０００７】
【特許文献２】特開２００３−０９４７３２ 号公報（段落番号００３３−００３４、図１、図５）
【０００８】
【特許文献３】特開２００２−２０９０９０号公報（段落番号００３７−００４２、図４、図６）
【発明の開示】
【発明が解決しようとする課題】
【０００９】
画像入力デバイスや画像出力デバイスの固有の特性による色再現性の問題を解決するためにテストチャート画像を用いたＬＵＴの調整により画像形成装置は較正されていたが、そのような較正作業に用いられた測色計ないしは濃度計に生じる誤差や、記録材料の種別によっては同じ測定画素色素値を示していても人間の見た目には異なった印象を与えるといった問題が生じていた。
上記実状に鑑み、本発明の課題は、テストチャート画像を用いたＬＵＴの調整後にも生じうる視覚に基づく色味問題を解決する画像形成装置を提供することである。
【課題を解決するための手段】
【００１０】
上記課題を解決するための本発明による画像形成装置の１つは、所定のテストチャート画像データを用いて出力されたテストチャート画像の測定画素色素値をその目標画素色素値と比較することによって画像データ変換関数を調整する第１較正演算部と、前記調整された画像データ変換関数によって変換された基本テスト画像データに対してその画素色素値を変更することで得られた複数種類のテスト画像データに基づいて所定のレイアウトで記録材料に形成された複数のテスト画像のうちで最適と見なされたテスト画像に対応するテスト画像データの画素色素値から前記画像データ変換関数に対する補正量を算出する第２較正演算部とを備えている。
【００１１】
この画像形成装置では、第１較正演算部による従来通りのテストチャート画像の測定画素色素値と目標画素色素値に基づく画像データ変換関数の調整によって装置の較正作業を完了するのではなく、その画像データ変換関数の調整後に、さらに、調整された画像データ変換関数を用いて、所定の画素色素値を有する基本テスト画像データに対してその画素色素値を変更することで得られた複数のテスト画像データを作成し、この各テスト画像データの画素色素値を前記調整された画像データ変換関数によって変換し、所定のレイアウトで記録材料に形成された複数のテスト画像を出力し、これらの複数のテスト画像のうちで最適なものを人間の視覚によって選択する。次に、第２較正演算部が、最適と見なされたテスト画像に対応するテスト画像データの画素色素値から前記画像データ変換関数に対する補正量を算出する。この補正量と前記調整された画像データ変換関数を組み合わせることにより、人間の見た目においても満足できる色再現性を備えたプリント出力が実現する。なお、ここでいう画像データ変換関数は、一般的にはルックアップテーブル（＝ＬＵＴ）という形でコンピュータ上に実装されているものであり、その実装形態は本発明で限定しているわけではなく、入力三次元色空間内に規定される画像データを出力三次元色空間内に規定される画像データに変換するソフトウエア的に又はハードウエア的にあるいはその両方で実装される画素値変換手段と理解されるべきである。
【００１２】
上記課題を解決するための本発明による画像形成装置の他の１つは、所定のテストチャート画像データを用いて出力されたテストチャート画像の測定画素色素値をその目標画素色素値と比較することによって画像データ変換関数を調整する第１較正演算部と、前記調整された画像データ変換関数のパラメータに対して複数の異なる値を割り当てることによって複数の補助画像データ変換関数を生成するパラメータ変更部と、所定の画素色素値を有する基本テスト画像データに対して前記補助画像データ変換関数のそれぞれを適用することで得られた複数のテスト画像データに基づいて所定のレイアウトで記録材料に形成された複数のテスト画像のうちで最適と見なされたテスト画像に対応する補助画像データ変換関数のパラメータ値から前記画像データ変換関数に対する補正量を算出する第２較正演算部とを備えている。
【００１３】
この画像形成装置でも、第１較正演算部による従来通りのテストチャート画像の測定画素色素値と目標画素色素値に基づく画像データ変換関数の調整によって装置の較正作業を完了するのではなく、その画像データ変換関数の調整後に、さらに、パラメータ変更部が前記調整された画像データ変換関数のパラメータに対して複数の異なる値を割り当てることによって複数の補助画像データ変換関数を生成し、所定の画素色素値を有する基本テスト画像データに対して前記補助画像データ変換関数のそれぞれを適用することで得られた複数のテスト画像データに基づいて所定のレイアウトで記録材料に形成された複数のテスト画像を出力し、これらの複数のテスト画像のうちで最適なものを人間の視覚によって選択する。次に、第２較正演算部が、最適と見なされたテスト画像に対応する画像データ変換関数のパラメータ値から前記画像データ変換関数に対する補正量を算出する。この補正量と前記調整された画像データ変換関数を組み合わせることにより、この画像形成装置でも同様に、人間の見た目においても満足できる色再現性を備えたプリント出力が実現する。
【００１４】
本発明の好ましい実施形態では、前記基本テスト画像データはその画素構成要素であるシアン、マゼンタおよびイエロー（又はＲ：赤、Ｇ：緑、Ｂ：青）の各色素値が略同じであるグレー系に設定されている。これは、多くの記録材料、特に印画紙などの感光材料ではその種別間においてグレーバランスの相違が最も際だつことから、グレー、特にニュートラルグレーを基本テスト画像とすることで大きな利点が得られるからである。
【００１５】
さらに、人間の目による最適画像の判定を容易にするため、本発明の好適な実施形態では、前記複数のテスト画像は短冊状で互いに隣接するように１枚の記録媒体上にレイアウトされて出力される構成を採用している。
本発明によるその他の特徴及び利点は、以下図面を用いた実施形態の説明により明らかになるだろう。
【発明を実施するための最良の形態】
【００１６】
図１は本発明による画像形成装置の一例である写真プリント装置を示す外観図であり、この写真プリント装置は、印画紙Ｐに対して露光処理と現像処理とを行う写真プリンタとしてのプリントステーション１Ｂと、現像済み写真フィルム２ａやデジタルカメラ用メモリカード２ｂなどの画像入力機器から取り込んだ撮影画像データを処理してプリントステーション１Ｂで使用されるプリントデータの生成・転送などを行う操作ステーション１Ａとから構成されている。
【００１７】
この写真プリント装置はデジタルミニラボとも称せられるものであり、図２からよく理解できるように、プリントステーション１Ｂは２つの印画紙マガジン１１に納めたロール状の印画紙Ｐを引き出してシートカッター１２でプリントサイズに切断すると共に、このように切断された印画紙Ｐに対し、バックプリント部１３で色補正情報やコマ番号などのプリント処理情報を印画紙Ｐの裏面に印字するとともに、プリント露光部１４で印画紙Ｐの表面に撮影画像の露光を行い、この露光後の印画紙Ｐを複数の現像処理槽を有した処理槽ユニット１５に送り込んで現像処理する。乾燥の後に装置上部の横送りコンベア１６からソータ１７に送られた印画紙Ｐ、つまり写真プリントＰは、このソータ１７の複数のトレイ１７ａにオーダ単位で仕分けられた状態で集積される（図１参照）。なお、後で詳しく説明されるテストプリントＴＰも写真プリントＰと同様に適切にカットされた印画紙Ｐにプリント露光部１４で露光された後処理槽ユニット１５で現像処理されることで横送りコンベア１６に出力される。
【００１８】
上述した印画紙Ｐに対する各種処理に合わせた搬送速度で印画紙Ｐを搬送するために印画紙搬送機構１８が敷設されている。印画紙搬送機構１８は、印画紙搬送方向に関してプリント露光部１４の前後に配置されたチャッカー式印画紙搬送ユニット１８ａを含む複数の挟持搬送ローラ対から構成されている。
【００１９】
プリント露光部１４には、副走査方向に搬送される印画紙Ｐに対して、主走査方向に沿って操作ステーション１Ａからのプリントデータに基づいてＲ（赤）、Ｇ（緑）、Ｂ（青）の３原色のレーザ光線の照射を行うライン露光ヘッドが設けられている。処理槽ユニット１５は、発色現像処理液を貯留する発色現像槽１５ａと、漂白定着処理液を貯留する漂白定着槽１５ｂと、安定処理液を貯留する安定槽１５ｃを備えている。
【００２０】
前記操作ステーション１Ａのデスク状コンソールの上部位置には、写真フィルム２ａの撮影画像コマから撮影画像データを取得するフィルムスキャナ２０が配置されており、デジタルカメラ等に装着される画像記録媒体２ｂとして用いられている各種半導体メモリやＣＤ−Ｒなどから撮影画像データを取得するメディアリーダ２１は、この写真プリント装置のコントローラ３として機能する汎用パソコンに組み込まれている。この汎用パソコンには、さらに各種情報を表示するモニタ２３、各種設定や調整を行う際に用いる操作入力部として利用されるキーボード２４やマウス２５、さらにテストプリントＴＰに形成されたテストチャート画像の各色濃度ないしは側色値を読み取る測色計も接続されている。
【００２１】
コントローラ３は、ＣＰＵを中核部材として、入力されたデータに対して種々の処理を行うための機能部がハードウエア又はソフトウエア或いはその両方で実装されているが、本発明に特に関係する機能部として、図３に示されているように、画像入力機器としてのフィルムスキャナ２０やメディアリーダ２１などから転送されてきた撮影コマ画像の生の画像データを各種処理のために一時的に格納するワーキングメモリ３０、各種操作画面を生成する操作画面生成部３１、操作画面を構成する各種画像データやその他の表示アイテムの画像データをビデオメモリに取り込むとともにこのビデオメモリに展開されたイメージをビデオコントローラによってビデオ信号に変換してモニタ２３に送るビデオ制御部３２、ワーキングメモリ３０に展開されている画像データに対して色調補正やフィルタリング（ぼかしやシャープネスなど）やトリミングなどの各種画像処理及びこの写真プリント装置で使用している画像入力機器や画像出力機器の特性に最適化するように画像データを変換する画像データ変換処理を施す画像処理部３３、この画像処理部３３によって実施される画像データ変換処理において用いられる変換機能を変換関数やマトリックステーブルのような形態で格納しているＬＵＴ部３４、このＬＵＴ部３４の内容を調整管理するＬＵＴ較正部４０、画像処理部３３で処理された最終的な画像データ等をプリント用画像データとしてプリントステーション１Ｂのプリント露光部１４に転送させるプリント管理部３５が挙げられる。
【００２２】
本発明では、ＬＵＴ部３４は、写真プリント装置において従来から行われている（例えば特開２００２−２０９０９０や特開２００３−９４７３２を参照）、所定のテストチャート画像データを用いて出力されたテストプリントＴＰにおけるテストチャート画像の測色計２６によって検出入力された測定画素色素値（ＲＧＢやＣＭＹカラー系色素の濃度値又は測色値）をその目標画素色素値と比較することによって調整される第１ＬＵＴ３４ａと、第１ＬＵＴ３４ａを用いて変換されたテスト画像データをさらに複数種類の補助変換パターンによって変換して得られた複数種類のテスト画像データの複数の出力テスト画像のうちで最適と見なされたテスト画像に対応する補助変換パターンからさらなる追加的な変換関数（又は変換テーブル）を導く、本発明の特徴である第２ＬＵＴ３４ｂを備えている。
【００２３】
ＬＵＴ較正部４０は、従来通りの較正作業による第１ＬＵＴ３４ａの調整管理を行う第１較正演算部４１と、追加された較正作業による第２ＬＵＴ３４ｂの調整管理を行う第２較正演算部４２と、従来通りの較正作業に用いられるテストチャート画像データや追加的な較正作業に用いられるテスト画像データを格納している較正データ格納部４３と、追加較正作業の際に基準となるテスト画像データから複数種類の補助変換パターンに基づいて複数のテスト画像データを変換出力するリングアラウンドデータ生成部４４とを備えている。
【００２４】
複数種類の補助変換パターンによって変換出力された複数のテスト画像データによりプリント出力されたテスト画像から、容易かつ正確にオペレータが視覚的に判定できるように、好ましくは、これらのテスト画像は短冊状で互いに隣接するように１枚の印画紙Ｐ上に形成されるように、プリント管理部３５は複数のテスト画像データをレイアウト編集してプリントデータとして露光プリント部１４に転送する。このようにしてプリント出力されたテストプリントＴＰはリングアラウンドプリントと呼ばれる。
【００２５】
次に、この写真プリント装置におけるテストプリントＴＰを用いたセットアップを、較正作業の機能を示している図４と、較正作業の流れを示している図５を参照しながら説明する。
較正データ格納部４３からテストチャート画像データをワーキングメモリ３０に読み込む（＃１１）。画像処理部３３は、画像出力機器としての露光プリント部１４の特性を考慮すべくテストチャート画像データの画素色素値を基準値に設定された第１ＬＵＴ３４ａによって規定されている変換関数に基づき変換する（＃１２）。変換されたテストチャート画像データはプリントデータとしてプリントステーション１Ｂに転送され、露光プリント部１４を駆動することにより、テストチャートプリントＴＰが出力される（＃１３）。ここでは、テストチャート画像として１８ステップのグレー系チャートが用いられているので、テストチャートプリントＴＰには１８ステップのグレーのグラデーション（白と黒を含む）が形成されることになる。
【００２６】
出力されたテストチャートプリントＴＰを測色計（濃度計）２６に投入して、各ステップのグレーの画素色素値、つまりそのＲ・Ｇ・Ｂ各色での濃度値を測定する（＃１４）。測定された各濃度値は入力インターフェースを介してコントローラ３に入力されると、第１較正演算部４１によって使用したテストチャート画像データに割り当てられている目標画素色素値、つまり各色の目標濃度値と比較されその差分値が求められる（＃１５）。差分値が所定の範囲内に収まっておれば使用された第１ＬＵＴ３４ａが精度良く調整されているとみなされ、この第１ＬＵＴ３４ａのための較正作業（第１較正作業）は終了するが（＃１６）、差分値が所定の範囲内に収まっていない場合、その差分値を利用して第１ＬＵＴ３４ａを再調整して（＃１７）、この第１較正作業を差分値が所定の範囲内に収まるまで繰り返す。この第１ＬＵＴ３４ａの再調整に関しては、上述した公知文献等に詳しく開示されているのでここでは詳しい説明を省略する。
【００２７】
第１較正作業が終了すると、本発明の特徴である第２ＬＵＴ３４ｂのための較正作業（第２較正作業）が行われる。まず、予め較正データ格納部４３に格納されている基本テスト画像データがワーキングメモリ３０に読み込まれる（＃２１）。この基本テスト画像データは、この実施形態では、８ビットカラー画像データにおける中間グレーであり、その画素色素値はＲ値＝１００、Ｇ値＝１００、Ｂ値＝１００とする。画素値としてＣＭＹカラー系を用いてもよく、画素色素値とはそれらを総称した用語である。基本テスト画像データとして、グレーを採用しているのは、印画紙Ｐの種別間の色差として、グレーバランスの相違が際だって目立つので、このグレーバランスの視覚による最適化を第２較正作業の目的としているからである。
【００２８】
上述した画素値をもつ基本テスト画像データは第１ＬＵＴ３４ａを用いてこの露光プリント部１４の特性に適合した画像データに変換される（＃２２）。リングアラウンドデータ生成部４４は、この変換された基本テスト画像データからリングアラウンドデータとして複数種類のテスト画像データを生成する（＃２３）。このリングアラウンドデータは、図６に示すように、第１ＬＵＴ３４ａを用いて変換された基本テスト画像データを基準として、その画素色素値を所定の振り量でもって変化させることによって生成されている。例えば、第１リングアラウンドデータはＲ値のみを５ポイント増加させており、第２リングアラウンドデータはＲ値のみを５ポイント減少させている。以下、同様にＧ値やＢ値を増加・減少させたり、増加ないしは減少させたＲ値、Ｇ値、Ｂ値の組み合わせを代えることにより、複数種類のテスト画像データが生成される。このような画素色素値の振り量や、変化させたＲ値、Ｇ値、Ｂ値の組み合わせは、グレーバランスの相違が最も視覚的に判定し易いように設定されている。
【００２９】
この生成された複数のテスト画像データ（リングアラウンドデータ）に基づいて、各テスト画像が短冊状で互いに隣接するようなレイアウトで印画紙Ｐに形成され、リングアラウンドプリントＴＰとして出力される（＃２４）。出力されたリングアラウンドプリントＴＰに属する複数のテスト画像のうちで最適と見なされたテスト画像がオペレータによって判定されると、そのテスト画像に対応するリングアラウンドデータの番号がキーボード２４を通じて指示入力される（＃２５）。次に、第２較正演算部４２は最適と判定されたテスト画像に対応するテスト画像データ（リングアラウンドデータ）の画素色素値ないしはその基準値からの振り量から第２ＬＵＴ３４ｂの値、つまり第１ＬＵＴ３４ａにおける画像データ変換関数に対する補正量（又は補正関数）が設定ないしは調整される（＃２６）。これにより第２較正作業が終了する。
【００３０】
第２較正作業が終了すると、この写真プリント装置は視覚的判断に基づくグレーバランスの調整も最適なものとなっているので、続いてプリンタプロファイル作成ルーチンに入って、数百色のカラーパッチからなるカラーチャートをプリント出力し、この写真プリント装置のカラーマネージメント調整を行う（＃３０）。カラーマネージメント調整作業自体は良く知られた技術であるので、ここでの詳しい説明は省略する。
【００３１】
次に、上述した第２較正作業の別実施形態を説明する。
この別実施形態では、リングアラウンドデータ生成部４４が、上述したように、第１ＬＵＴ３４ａを用いて変換された基本テスト画像データを基準として、その画素色素値を所定の振り量でもって変化させることによってリングアラウンドデータを生成するのではなく、第１ＬＵＴ３４ａとしての画像データ変換関数の複数のパラメータを複数の異なる値に変化させることにより複数の補助画像データ変換関数を生成するパラメータ変更部を備えている。このような複数の補助画像データ変換関数を説明する模式図が図７に示されている。例えば、画像データ変換関数が３次式で表されると仮定すると、その３次式の選択された係数を変更していくことにより異なる画像データ変換関数、つまり複数の補助画像データ変換関数：ｆ1、ｆ2、ｆ3・・・・が作り出される。補助画像データ変換関数が作り出されると、基本テスト画像データに対して補助画像データ変換関数のそれぞれを適用することで複数のテスト画像データ（リングアラウンドデータ）が得られ、このリングアラウンドデータに基づいて、各テスト画像が短冊状で互いに隣接するようなレイアウトで印画紙Ｐに形成され、リングアラウンドプリントＴＰとして出力される。この場合でも、出力されたリングアラウンドプリントＴＰに属する複数のテスト画像のうちで最適と見なされたテスト画像がオペレータによって判定されると、そのテスト画像に対応するリングアラウンドデータの番号がキーボード２４を通じて指示入力される。次に、第２較正演算部４２は最適と判定されたテスト画像に対応する補助画像データ変換関数のパラメータ値から第２ＬＵＴ３４ｂの値、つまり第１ＬＵＴ３４ａにおける画像データ変換関数に対する補正量（又は補正関数）が設定ないしは調整される。
【産業上の利用可能性】
【００３２】
この特徴的なカラー較正機能を実現させている画像形成装置は、写真プリント装置の他、カラー画像を再生するカラー印刷装置やカラーコピーなど、正確なカラーマネージメントが必要なカラー画像形成装置に適用可能である。
【図面の簡単な説明】
【００３３】
【図１】本発明の画像形成装置の一例としての写真プリント装置の外観図
【図２】写真プリント装置の機能説明図
【図３】コントローラの機能ブロック図
【図４】較正作業における機能ブロック図
【図５】較正作業のフローチャート
【図６】リングアラウンドプリントのための画像データを説明する説明図
【図７】補助画像データ変換関数を説明する模式図
【符号の説明】
【００３４】
３コントローラ
１４  プリント露光部
２４  キーボード
２６  測色計（濃度計）
３４ａ第１ＬＵＴ部
３４ｂ第２ＬＵＴ部
３３  画像処理部
３５  プリント管理部
４１  第１較正演算部
４２  第２較正演算部
４３  較正データ格納部
４４  リングアラウンド生成部
ＴＰ  テストプリント（テストチャートプリント、リングアラウンドプリント）
【図１】
2005064801.tif 000003
【図２】
2005064801.tif 000004
【図３】
2005064801.tif 000005
【図４】
2005064801.tif 000006
【図５】
2005064801.tif 000007
【図６】
2005064801.tif 000008
【図７】
2005064801.tif 000009